(57)【要約】【課題】塵埃の廃棄が容易に行え、使い勝手を向上する。【解決手段】集塵ボックス８は、吸入口２から挿通されるホースと連通する連通口９を開口し塵埃を蓄積する本体部１０と、該本体部１０に開閉可能に軸支されると共に、電動送風機の駆動により前記本体部１０に吸引される空気に含まれる塵埃を除去するフィルター１３を配設した蓋体部１４とで構成され、前記本体部１０は、略直方体状に形成されその奥行き寸法２０を他の幅寸法２２または高さ寸法２１よりも小さく形成したことにより、本体部１０の両側面壁により塵埃の押し広がる力が逆に本体部１０開口中央部方向（廃棄方向）にかかり本体部１０内で圧縮された塵埃が中央部から折れ曲るように本体部１０開口から排出されるようになり、圧縮された蓄積塵埃の本体部１０からのごみ離れを促進でき、結果、塵埃の廃棄性を向上することができるものとなる。【選択図】図１
2007313180.tif 000002
【特許請求の範囲】
【請求項１】
前部に吸入口、該吸入口の後部に集塵ボックスを着脱自在に収納する集塵ボックス収納部と、前記集塵ボックス収納部の後部に電動送風機を収納する電動送風機室とを備えた電気掃除機において、前記集塵ボックスは、前記吸入口から挿通されるホースと連通する連通口を開口し塵埃を蓄積する本体部と、該本体部に開閉可能に軸支されると共に、前記電動送風機の駆動により前記本体部に吸引される空気に含まれる塵埃を除去するフィルターを配設した蓋体部とで構成され、前記本体部は、略直方体状に形成されその奥行き寸法を他の幅寸法または高さ寸法よりも小さく形成したことを特徴とする電気掃除機。
【請求項２】
本体部の奥行き寸法を、他の幅寸法または高さ寸法の１／３以下の寸法にて設定した請求項１記載の電気掃除機。
【請求項３】
本体部の奥行き寸法を、他の幅寸法または高さ寸法の１／３以下の寸法でかつ５５ｍｍ以下に設定した請求項１記載の電気掃除機。
【請求項４】
本体部の側面壁を蓋体部側に広がる方向に傾斜させた請求項１〜３のいずれか１項に記載の電気掃除機。
【請求項５】
蓋体部に、メッシュもしくは多孔質に形成された薄板と、該薄板の下流側にプリーツ加工されたフィルターを配設すると共に、本体部に開閉可能に軸支したことを特徴とする請求項１〜３のいずれか１項に記載の電気掃除機。
【請求項６】
メッシュもしくは多孔質に形成された薄板を保持する蓋体部Ａと、該蓋体部Ａの下流側にプリーツ加工されたフィルターを保持する蓋体部Ｂをそれぞれ設け、前記蓋体部Ａ、Ｂはそれぞれ本体部に開閉自在に軸支され、かつ同芯軸上に形成したことを特徴とする請求項１〜３のいずれか１項に記載の電気掃除機。
【発明の詳細な説明】
【技術分野】
【０００１】
本発明は電気掃除機に関し、特に電気掃除機の集塵ボックスに関するものである。
【背景技術】
【０００２】
従来の電気掃除機の集塵ボックスの本体部形状は、略正方体に形成されたものであった（例えば、特許文献１参照）。そしてこのような電気掃除機の集塵ボックスは、本体部内に蓄積された塵埃を廃棄する場合、本体部内で塵埃が圧縮された状態であるため、塵埃を廃棄し難い形状となっているものであった。
【特許文献１】特開２００５−３１８９１５号公報
【発明の開示】
【発明が解決しようとする課題】
【０００３】
しかしながら、上記従来の構成では、塵埃を蓄積する本体部の連通口から後部の開口部（蓋体嵌合部）までの奥行き寸法が、他の幅寸法または高さ寸法と略同一となるような略正方体形状となっている。そのため、蓋体部を開放し本体部に蓄積された塵埃を廃棄する場合、塵埃が廃棄し難いものであった。これは、電動送風機の吸引風により集塵ボックスに吸引された塵埃はフィルターにより塵埃のみが本体部に蓄積されるが、綿ごみ等の塵埃は電動送風機の吸引により圧縮されながら蓄積されることとなる。その後、本体部の容積一杯付近まで蓄積されると、圧縮された綿ごみ等の塵埃は本体部の側面壁方向に押し広がる力が発生するが、本体部の側面壁は固定され広がらないために塵埃は両側面壁との間で圧縮されたままの状態となるため、略正方体形状に近い本体部の形状では、蓋体部を開放しても塵埃が側面壁側に押し広がる力の作用により蓄積塵埃を廃棄し難いものとなっていた。
【０００４】
本発明は、前記従来の課題を解決するもので、集塵ボックス本体部に蓄積された塵埃のごみ離れを促進することで集塵ごみの廃棄性を向上した電気掃除機を提供することを目的とする。
【課題を解決するための手段】
【０００５】
前記従来の課題を解決するために、本発明の電気掃除機は、集塵ボックスを、吸入口から挿通されるホースと連通する連通口を開口し塵埃を蓄積する本体部と、該本体部に開閉可能に軸支されると共に、電動送風機の駆動により前記本体部に吸引される空気に含まれる塵埃を除去するフィルターを配設した蓋体部とで構成し、前記本体部は、略直方体状に形成されその奥行き寸法を他の幅寸法または高さ寸法よりも小さく形成したものである。
【０００６】
これによって、蓄積された塵埃は本体部の両側面壁側に押し広がろうとするが、本体部が略直方体状に形成されその奥行き寸法を他の幅寸法または高さ寸法よりも小さく形成しているため、本体部の両側面壁により塵埃の押し広がる力が逆に本体部開口中央部方向（廃棄方向）にかかり本体部内で圧縮された塵埃が中央部から折れ曲るように本体部開口から排出されるようになり、圧縮された蓄積塵埃の本体部からのごみ離れを促進でき、結果、塵埃の廃棄性を向上することができるものとなる。
【発明の効果】
【０００７】
本発明の電気掃除機は、集塵ボックス内に集塵した塵埃の廃棄性を向上することができる。
【発明を実施するための最良の形態】
【０００８】
第１の発明は、前部に吸入口、該吸入口の後部に集塵ボックスを着脱自在に収納する集塵ボックス収納部と、前記集塵ボックス収納部の後部に電動送風機を収納する電動送風機室とを備えた電気掃除機において、前記集塵ボックスは、前記吸入口から挿通されるホースと連通する連通口を開口し塵埃を蓄積する本体部と、該本体部に開閉可能に軸支されると共に、前記電動送風機の駆動により前記本体部に吸引される空気に含まれる塵埃を除去するフィルターを配設した蓋体部とで構成され、前記本体部は、略直方体状に形成されその奥行き寸法を他の幅寸法または高さ寸法よりも小さく形成することにより、本体部の両側面壁により塵埃の押し広がる力が逆に本体部開口中央部方向（廃棄方向）にかかり本体部内で圧縮された塵埃が中央部から折れ曲るように本体部開口から排出されるようになり、圧縮された蓄積塵埃の本体部からのごみ離れを促進でき、結果、塵埃の廃棄性を向上することができる。
【０００９】
第２の発明は、第１の発明において、本体部の奥行き寸法を、他の幅寸法または高さ寸法の１／３以下の寸法に設定することにより、第１の発明の効果に加え、集塵ボックス自体を小型、軽量化することができる。
【００１０】
第３の発明は、第１の発明において、本体部の奥行き寸法を、他の幅寸法または高さ寸法の１／３以下の寸法でかつ５５ｍｍ以下に設定することにより、圧縮された蓄積塵埃の本体部からのごみ離れを安定的に促進でき、結果、塵埃の廃棄性をより向上することができる。また、集塵ボックス自体を小型、軽量化することができる。
【００１１】
第４の発明は、第１〜３のいずれか１つの発明において、本体部の側面壁を蓋体部側に広がる方向に傾斜させることにより、本体部内で圧縮された塵埃をより本体部開口側排出方向へ折り曲げることができ、ごみ離れを更に促進でき、結果、塵埃の廃棄性を更に向上できる。
【００１２】
第５の発明は、第１〜３のいずれか１つの発明において、蓋体部に、メッシュもしくは多孔質に形成された薄板と、該薄板の下流側にプリーツ加工されたフィルターを配設すると共に、本体部に開閉可能に軸支した構成とすることにより、第１の発明の効果に加え、薄板により粗塵と細塵を分離でき、下流側のフィルターの目詰まりを抑制することができると共に、確実に薄板およびフィルターを本体部に装着できる。また、集塵した塵埃を廃棄する場合に排出を容易に行うことができる。
【００１３】
第６の発明は、第１〜３のいずれか１つの発明において、メッシュもしくは多孔質に形成された薄板を保持する蓋体部Ａと、該蓋体部Ａの下流側にプリーツ加工されたフィルターを保持する蓋体部Ｂをそれぞれ設け、前記蓋体部Ａ、Ｂはそれぞれ本体部に開閉自在に軸支され、かつ同芯軸上に形成した構成とすることにより、第１、第５の発明の効果に加え、薄板およびフィルターのメンテナンスを容易に行うことができる。
【００１４】
以下、本発明の実施の形態について、図面を参照しながら説明する。なお、この実施の形態によって本発明が限定されるものではない。
【００１５】
（実施の形態１）
本発明の第１の実施の形態について、図１〜図５を用いて説明する。
【００１６】
図１、２に示すように、１は前方に吸入口２を有する集塵ボックス収納部３と後方に電動送風機（図示せず）を有する電動送風機室（図示せず）を具備した掃除機本体で、吸入口２部には掃除機本体１とホース（図示せず）のエアータイト用のパッキンＡ４を具備したものである。また集塵ボックス収納部３上方は開口しており、開口部上端全周にパッキンＢ５を配したものである。６は掃除機本体１の後方部を支点として回動自在に設けた集塵ボックス収納部蓋体で、集塵ボックス収納部３の上方開口部を覆うものである。この集塵ボックス収納部蓋体６は、パッキンＢ５と平面が略同形状で集塵ボックス収納部蓋体６が閉状態となった時にパッキンＢ５と圧接しエアータイトを行うタイトリブ７を有している。集塵ボックス収納部３内には、集塵ボックス８が着脱自在に収納できるよう構成されている。集塵ボックス８には、連通口９が設けられた本体部１０と該本体部１０の後方に、メッシュもしくは多孔質に形成された薄板１１を保持した蓋体Ａ１２と、その下流側にプリーツ加工されたフィルター１３を保持する蓋体Ｂ１４が本体部１０に形成された軸受部１５により回動自在にかつ開閉自在に保持されたものである。
【００１７】
なお、薄板１１とフィルター１３を一体的にして、蓋体部に保持する構成としてもよいものである。
【００１８】
また、図２に示すように、蓋体Ａ１２と蓋体Ｂ１４は同芯軸にて保持されている。蓋体Ａ１２、蓋体Ｂ１４は蓋体Ｂ１４の係止部１６に本体部１０の爪１７が引っ掛ることで本体部１０に固定され、使用時の形態となる。このとき、蓋体Ａ１２外周前後に形成された、タイトパッキンＡ１８により、本体部１０と蓋体Ｂ１４とがエアータイトされる構成となっている。集塵ボックス８と集塵ボックス収納部３とのエアータイトは、前方をパッキンＡ４と本体部１０、後方を集塵ボックス収納部蓋体６壁と蓋体Ｂ１４に形成されたタイトパッキンＢ１９によりタイトされたものである。
【００１９】
図３、４は集塵ボックス８を示し、爪１７を外し、蓋体Ａ１２、蓋体Ｂ１４が開放された図である。本体部１０は連通口９より蓋体Ａ１２が閉塞状態で接する面までの奥行き寸法２０と、本体底面から上部までの高さ寸法２１、幅寸法２２の関係を、奥行き寸法２０を、高さ寸法２１、または幅寸法２２の１／３以下になるよう設定し、本体部１０を略直方体状にて形成したものである。
【００２０】
以上のように構成された電気掃除機について、以下その動作、作用を説明する。
【００２１】
図１に示すように、電動送風機（図示せず）の吸引風により空気とともに塵埃が吸入口２、連通口９を通過し本体部１０に到達する。その後、蓋体Ａ１２に形成されたメッシュもしくは多孔質に形成された薄板１１により、吸引塵埃中の粗塵２３が捕集される。メッシュもしくは多孔質に形成された薄板１１を細塵２４と空気は通過し、次に蓋体Ｂ１４のプリーツ加工されたフィルター１３により細塵２４が捕集され、空気のみが電動送風機室（図示せず）を経て掃除機本体１外に排出される。このように、粗塵２３と細塵２４とがそれぞれのフィルターにより捕集される。ここで、本体部１０には粗塵２３、すなわち綿ごみや繊維等が多く含まれた塵埃が多く捕集されるものである。
【００２２】
図５に示すように、本体部１０に粗塵２３が一杯に捕集されると、電動送風機の吸引で圧縮されながら捕集された粗塵２３が本体部１０の側面壁側に広がろうとする（実線矢印）。集塵した塵埃を廃棄するために、蓋体Ａ１２、蓋体Ｂ１４を開放すると、塵埃が本体部１０の側面壁側に広がろうとするが、本体部１０の側面壁は広がらないために、圧縮されたままとなる。しかし、奥行き寸法２０を高さ寸法２１、または幅寸法２２の１／３以下に設定することで、圧縮により押し広がろうとする力が、本体部の両側面壁により塵埃の押し広がる力が、逆に本体部開口中央部方向（廃棄方向）にかかり本体部内で圧縮された塵埃が中央部から折れ曲るように本体部開口側にかかり（点線矢印）、塵埃が略中央付近より折れ曲がるため、本体部１０内面からのごみ離れを促進でき、本体部１０外へ廃棄できる。
【００２３】
このように、奥行き寸法２０を、高さ寸法２１、または幅寸法２２の１／３以下とすることで塵埃が圧縮され蓄積されることを逆に利用し塵埃の廃棄性を向上させることができるものである。また、奥行き寸法２０を短くすることで集塵ボックス８および掃除機本体１自体の大きさを同時に小型、軽量化できるものである。
【００２４】
更に、奥行き寸法２０を、高さ寸法２１、または幅寸法２２の１／３以下でかつ５５ｍｍ以下に設定することで、更なる塵埃の折れ曲がりを促進でき、より廃棄性が向上できるものである。
【００２５】
また、図４に示すように、本体部１０の両側面壁を連通口９の面より蓋体部側に広がる方向に側面壁を傾斜させ、その角度を１０°以上に構成したもので、塵埃の圧縮する力が両側面壁に角度を設けることで、後方への力の分力が発生しさらに塵埃の廃棄性が向上できるものである。
【産業上の利用可能性】
【００２６】
以上のように、本発明にかかる電気掃除機は、塵埃の廃棄が容易に行え、使い勝手が大きく向上し、特に家庭、業務用等の電気掃除機に有用である。
【図面の簡単な説明】
【００２７】
【図１】本発明の実施の形態１における電気掃除機の要部断面図
【図２】同集塵ボックスの要部矢視図
【図３】同集塵ボックスの要部断面図
【図４】同集塵ボックスの要部断面図
【図５】同集塵ボックスの要部断面図
【符号の説明】
【００２８】
３  集塵ボックス収納部
８  集塵ボックス
１０  本体部
１２  蓋体Ａ
１４  蓋体Ｂ
２０  奥行き寸法
２１  高さ寸法
２２  幅寸法
２３  粗塵
【図１】
2007313180.tif 000003
【図２】
2007313180.tif 000004
【図３】
2007313180.tif 000005
【図４】
2007313180.tif 000006
【図５】
2007313180.tif 000007